(57)【要約】【課題】長いバネ部を係止している一方のハンドルが、長いバネ部によって発生する弾性によって展開スピードが早くなり、握り手の疲労感を著しく減少させる。【解決手段】刃面が対向状の一対の刃部を一対の固定ユニットで軸着し、一対のハンドルの夫々の上端部と一対の刃部の下端部とを軸着し、一対のハンドルを軸をもって接続し、軸に弾性体のコイル状嵌挿部を嵌挿し、コイル状嵌挿部の左サイドと右サイドを延設する左バネ部と右バネ部がハンドル内に係止状態に挿入すると共に、ハンドルの中、一方のハンドルには調整ネジを取着するミニカッターにおいて、弾性体の一方のバネ部の長さを短く、他方のバネ部を延設してハンドルより飛出する長さとし、飛出部分には引掛け部を形成せしめた。【選択図】    図１
0003131041.tif 000002
【実用新案登録請求の範囲】
【請求項１】
刃面が対向状の一対の刃部を一対の固定ユニットで軸着し、一対のハンドルの夫々の上端部と前記一対の刃部の下端部とを軸着し、前記一対のハンドルを軸をもって接続し、前記軸に弾性体のコイル状嵌挿部を嵌挿し、前記コイル状嵌挿部の左サイドと右サイドを延設する左バネ部と右バネ部が前記ハンドル内に係止状態に挿入すると共に、前記ハンドルの中、一方のハンドルには調整ネジを取着するミニカッターにおいて、
前記弾性体の一方のバネ部の長さを短く、他方のバネ部を延設して前記ハンドルより飛出する長さとし、飛出部分には引掛け部を形成せしめることを特徴とするミニカッター。
【請求項２】
前記一対のハンドルに、グリップを嵌挿することを特徴とする請求項１記載のミニカッター。
【請求項３】
前記弾性体の一方の長いバネ部が、前記一方のハンドルの内側面に密着しながら前記ハンドルの下端部より飛出し、飛出した部位に引掛け部を形成することを特徴とする請求項１又は請求項２記載のミニカッター。
【考案の詳細な説明】
【技術分野】
【０００１】
本考案は、軟線、銅線を片手で極めて容易に切断することができるハンディタイプのミニカッターの分野に関するものである。
【背景技術】
【０００２】
従来、ボルトクリッパーのカッター部構造に関する実用新案登録第３１０８８７１号登録実用新案公報が開示されている。
【０００３】
前記開示のカッター部には、図１、６、８等に図示されている一対の作動アーム３１、３２、及びハンドル１５、１６を展開させるための手段として、鋼線等の弾性資材が開示されていない。
【０００４】
従って、前記開示の公報中に掲載されている一対の作動アーム３１、３２及びハンドル１５、１６の展開は、一対のカッター部と固定ユニット７０及び軸によって接続されている前記一対の作動アーム３１、３２とハンドル１５、１６との作動によってなされている。
【０００５】
さらに、現在市販されている軟線、銅線を切断するカッターは、カッターを構成する固定ユニットによって接続されている一対の刃部の下方端部と一対のハンドルの上方部とを軸をもって接続せしめ、且前記軸の下方部位に前記一対のハンドルを接続する軸に、弾性体のコイル状嵌挿部を嵌挿し、前記弾性体を構成する左サイドの左バネ部と右サイドの右バネ部とを前記両ハンドル内に係止せしめて、前記カッターの両ハンドルを展開させていた。
【０００６】
また、前記市販のカッターに内蔵されている弾性体を構成するバネ部が極めて短かった。
【０００７】
そのため、前記市販カッターは、ハンドルの線材カット後におけるハンドルに対する展開スピードが遅く、次の線材のカット作業にかかる所要時間が長く、作業能率が余り良好でなかった。
【０００８】
さらに、前記市販のカッターは、ハンドルに内蔵の弾性体の弾性力が弱かったために、作業者の握り手に力が入りすぎて疲労感があった。
【特許文献１】実用新案登録第３１０８８７１号登録実用新案公報
【考案の開示】
【考案が解決しようとする課題】
【０００９】
しかるに、本考案は、ミニカッターを構成する一対のハンドルを対向状にして接続する軸に嵌挿するコイル状嵌挿部と、両ハンドル内に係止する２本のバネ部を有する弾性体において、前記弾性体を構成するバネ部の中、一方のバネ部の長さを短く形成し、他方のバネ部の長さを前記ハンドルの中、一方のハンドルの下端部より突出し、突出部分に引掛け部を形成することができる長さとするようにした。
【００１０】
そのため、長いバネ部を係止している一方のハンドルが、長いバネ部によって発生する弾性が作用して展開スピードを速くし、握り手の疲労感を著しく減少せしめるようにした。
【００１１】
さらに本考案は、前記のとおり、一方のバネ部の長さを長くして、ハンドルの下端部より飛出し、飛出した部分にリング状引掛け部を形成して、吊り紐の挿通を可能にした利点を有している。
【００１２】
また本考案は、ハンドルにグリップを嵌め込み握持をしやすくし、作業性を高めることができるようにした。
【００１３】
さらに、本考案は、一方のハンドルに対し、一方の長いバネ部が大部分の部位が、前記ハンドル内に密着係止して前記一方のハンドルの展開力を著しく高めた。
【課題を解決するための手段】
【００１４】
課題を解決するための請求項１記載の考案は、刃面が対向状の一対の刃部を一対の固定ユニットで軸着し、一対のハンドルの夫々の上端部と前記一対の刃部の下端部とを軸着し、前記一対のハンドルを軸をもって接続し、前記軸に弾性体のコイル状嵌挿部を嵌挿し、前記コイル状嵌挿部の左サイドと右サイドを延設する左バネ部と右バネ部が前記ハンドル内に係止状態に挿入すると共に、前記ハンドルの中、一方のハンドルには調整ネジを取着するミニカッターにおいて、
前記弾性体の一方のバネ部の長さを短く、他方のバネ部を延設して前記ハンドルより飛出する長さとし、飛出部分には引掛け部を形成せしめることを特徴とするミニカッターである。
【００１５】
課題を解決するための請求項２記載の考案は、前記一対のハンドルに、グリップを嵌挿することを特徴とする請求項１記載のミニカッターである。
【００１６】
課題を解決するための請求項３記載の考案は、前記弾性体の一方の長いバネ部が、前記一方のハンドルの内側面に密着しながら前記ハンドルの下端部より飛出し、飛出した部位に引掛け部を形成することを特徴とする請求項１又は請求項２記載のミニカッターである。
【考案の効果】
【００１７】
請求項１記載の考案は、刃面が対向状の一対の刃部を一対の固定ユニットで軸着し、一対のハンドルの夫々の上端部と前記一対の刃部の下端部とを軸着し、前記一対のハンドルを軸をもって接続し、前記軸に弾性体のコイル状嵌挿部を嵌挿し、前記コイル状嵌挿部の左サイドと右サイドを延設する左バネ部と右バネ部が前記ハンドル内に係止状態に挿入すると共に、前記ハンドルの中、一方のハンドルには調整ネジを取着するミニカッターにおいて、前記弾性体の一方のバネ部の長さを短く、他方のバネ部を延設して前記ハンドルより飛出する長さとし、飛出部分には引掛け部を形成せしめるミニカッターなので、長いバネ部を係止している一方のハンドルが、長いバネ部によって発生する弾性によって展開スピードが早くなり、握り手の疲労感を著しく減少せしめる。
【００１８】
さらに本考案は、前記のとおり、一方のバネ部の長さを長くして、ハンドルの下端部より飛出し、飛出した部分にリング状引掛け部を形成して、吊り紐の挿通を可能にした利点を有している。
【００１９】
さらに請求項２記載の考案は、前記一対のハンドルに、グリップを嵌挿するミニカッターなので、前記請求項１記載の考案と同じ効果を有すると共に、ハンドルにクリップを嵌め込み握持がしやすく、作業性を高めることができる。
【００２０】
請求項３記載の考案は、前記弾性体の一方の長いバネ部が、前記一方のハンドルの内側面に密着しながら前記ハンドルの下端部より飛出し、飛出した部位に引掛け部を形成するミニカッターなので、前記請求項１又は同２記載の考案の効果と同じ効果を有していると共に、一方のハンドルに対し、一方の長いバネ部が大部分の部位が、前記ハンドル間に密着係止して前記一方のハンドルの展開力を著しく高めた。
【考案を実施するための最良の形態】
【００２１】
本考案の請求項１〜３記載の考案に関する実施の形態は、共通しているので図面にもとづき以下のとおり説明する。
【００２２】
図面において、Ａは本考案のミニカッターであり以下の構成からなっている。
【００２３】
前記ミニカッターＡは、一対の固定ユニットａと一対の刃部ｂと、一対のハンドルｃと一対のグリップｄと前記各構成部材を接続する軸部材をもって組立てるものである。
【００２４】
以下前記各構成部材の形態と本考案の構成上の要部についての実施例を説明する。
【００２５】
前記一対の固定ユニットａは、刃面１、１が対向する一対の刃部ｂ、ｂを対向状に、且前記刃面１、１の下方部の一対刃部ｂの表面３と裏面（図示されていない）に軸２、２をもって接続する。
【００２６】
ｃは一対のハンドルであり、以下の構成からなる。
【００２７】
前記ハンドルｃ、ｃは、通常金属板を折曲し、所定の厚みを有し、且内側部が中空状部となっている。そして前記中空状部は、ハンドルｃ、ｃの頭部４から下端部５にかけて形成する。
【００２８】
６は一方のハンドルｃの峰部７と反対の内側縁部８に形成の螺孔（図示していない）を有する刃面１、１を調整するナット１０付き調整ボルト９の螺着部である。
【００２９】
６ａは他方のハンドルｃの峰部７ａと反対の内側縁部８ａに、前記一方のハンドルｃに形成の螺着部６に螺着の調整ボルト９の頭部９ａが当接する部位の当接部である。
【００３０】
１１は前記一対の刃部ｂ、ｂの下端部と、前記一対のハンドルｃ、ｃの頭部４とを接続する中段軸である。図面図示のとおり２箇所設けてある。
【００３１】
さらに、前記一対のハンドルｃ、ｃの中、一方のハンドルｃは、図１に図示のとおり対向時において、他方のハンドルｃと重なり合うように、一方のハンドルｃの内側部にして、頭部４より若干下方部に孔付き突出部１２を形成する。
【００３２】
前記一方のハンドルｃに対し、他方のハンドルｃには、頭部４より若干下方部の内側部に、若干外側方に膨出する孔付き外側突出部１２ａを形成する。
【００３３】
前記形状のハンドルｃ、ｃを図１に図示のとおり対向させ、且前記外側突出部１２ａ内に前記突出部１２を嵌挿し、下段軸１３をもって両ハンドルｃ、ｃを軸着する。
【００３４】
ｄは弾性体であり、以下の構成からなっている。
【００３５】
即ち、所定長さの弾性を有する金属線の稍中央部にコイル状嵌挿部１４を形成し、且前記コイル状嵌挿部１４の左サイドと右サイドの金属線を延設して左バネ部１５と右バネ部１６とを形成する。
【００３６】
そして、前記左バネ部１５は、前記一方のハンドルｃの下端部５より突出し、リング状の引掛け部１７が形成できる長さとする。
【００３７】
右バネ部１６の長さは、短く形成する。
【００３８】
以上の構成からなる弾性体ｄを組込むには、コイル状嵌挿部１４を一対のハンドルｃ、ｃを対向せしめ、前記弾性体ｄの右バネ部１６を右ハンドルｃ内に挿入し、他方左バネ部１５を左サイドのハンドルｃに挿入する。
【００３９】
前記状態で配された弾性体ｄのコイル状嵌挿部１４内に下段軸１３を嵌挿する。
【００４０】
前記一対の対向状のハンドルｃ、ｃは、前記突出部１２と外側突出部１２ａとが嵌挿した状態となっている。
【００４１】
前記のように、左バネ部１５を左サイドのハンドルｃの内側に挿入すると、左バネ部１５が前記左サイドのハンドルｃの内側面に密着しながら、前記ハンドルｃの下端部ｃの下端部５より突出した金属線をリング状等の形状にして引掛け部１７を形成する。
【００４２】
ｅは一対のハンドルｃ、ｃに嵌挿する握持がしやすいように嵌挿した合成樹脂製等のグリップである。
【００４３】
前記グリップｅが一方のハンドルｃに嵌挿しても、前記左バネ部１５の下端部から突出している引掛け部１７を阻害しない。
【００４４】
１８は前記一方のハンドルｃに嵌挿したグリップｅの下端部に嵌込んだストッパーである。このストッパー１８は、他方のグリップｄに引掛ける。
【００４５】
１９は前記引掛け部１７に接続の吊り用紐である。
【００４６】
本考案のミニカッターは、以上の構成から組立てられている。
【００４７】
つぎに、本考案のミニカッターＡは、前記ストッパー１８の引掛かりを解除すると、前記左サイドのハンドルｃ内に挿入する長さが長い方の左バネ部１５が、前記ハンドルｃの内側面に密着しながら下端部より飛出しているので、長さに比例して左バネ部１５の弾性作用力が左サイドのハンドルｃ全体に作用し、握持している握手にやさしくフィットする。
【００４８】
そのため、疲労感が少なく、作業性が極めて良好である。
【図面の簡単な説明】
【００４９】
【図１】本考案ミニカッターの正面図である。
【００５０】
【図２】同１のミニカッターの一部切欠縦断面図である。
【符号の説明】
【００５１】
Ａ      ミニカッター
ａ      固定ユニット
ｂ      刃部
ｃ      ハンドル
ｄ      弾性体
ｅ      グリップ
１      刃面
２      軸
３      表面
４      頭部
５      下端部
６      螺着部
６ａ    当接部
７      峰部
７ａ    峰部
８      内側縁部
８ａ    内側縁部
９      調整ボルト
９ａ    頭部
１０    ナット
１１    中段軸
１２    突出部
１２ａ  外側突出部
１３    下段軸
１４    コイル状嵌挿部
１５    左バネ部
１６    右バネ部
１７    引掛け部
１８    ストッパー
１９    紐
【図１】
0003131041.tif 000003
【図２】
0003131041.tif 000004